(57)【要約】【課題】背景映像を映写するスクリーンに映写される映像を鮮明にして美麗な撮影画像を得ることができる写真プリント作成装置を提供する。【解決手段】撮影領域内の被写体２を撮影するカメラ６と、上記被写体２をカメラ６側から照明する照明用ストロボ２０と、上記カメラ６で撮影された撮影画像をプリントするプリンタ９と、上記被写体２のバックとなる領域に配置されたスクリーン４０と、上記スクリーン４０に対しカメラ６と反対側を映写面として背景映像を映写する映写ユニット１４とを備え、上記スクリーン４０は、照明用ストロボ２０の照明光が当該スクリーン４０で反射した反射光をカメラ６の存在領域以外の領域に誘導する反射光誘導シートとしたことにより、反射光によるハレーションを防止して美麗な撮影画像を得ることができる。【選択図】図１
2004077958.tif 000002
【特許請求の範囲】
【請求項１】
撮影領域内の被写体を撮影するカメラと、上記被写体をカメラ側から照明する照明手段と、上記カメラで撮影された撮影画像をプリントするプリンタと、上記被写体のバックとなる領域に配置されたスクリーンと、上記スクリーンに対しカメラ側と反対側面を映写面として背景映像を映写する映写手段と、上記カメラ，照明手段，映写手段，プリンタを制御する制御手段とを備え、上記スクリーンは、照明手段の照明光が当該スクリーンで反射した反射光をカメラの存在領域以外の領域に誘導する反射光誘導シートを備えたものであることを特徴とする写真プリント作成装置。
【請求項２】
上記反射光誘導シートは、傾斜面を上記照明光の反射面とし棚面を吸光面とするプリズムが平行に配置されたプリズム面を有する平面プリズムシートであり、上記反射面による反射光がカメラの存在領域以外の領域に誘導されるように構成されている請求項１記載の写真プリント作成装置。
【請求項３】
上記照明手段が、カメラの上下および／または左右を含む被写体から見てカメラの光軸を略中心とした周辺領域内に配置されて被写体を照明するものであり、上記平面プリズムシートは、上記傾斜面と吸光面を有するプリズムがカメラの光軸を略中心として対称状もしくは環状に配置されている請求項２記載の写真プリント作成装置。
【請求項４】
上記スクリーンよりも映写面側に、少なくとも映写領域をカバーする状態で、映写手段からの映写光をカメラの存在領域に向かって集光する集光レンズが配置された請求項１〜３のいずれか一項に記載の写真プリント作成装置。
【請求項５】
上記カメラが移動可能に配置され、上記集光レンズが上記カメラの移動範囲をカバーした領域に映写光を集光するものである請求項１〜４のいずれか一項に記載の写真プリント作成装置。
【請求項６】
上記カメラが複数配置され、上記集光レンズが上記複数のカメラが配置された範囲をカバーした領域に映写光を集光するものである請求項１〜４のいずれか一項に記載の写真プリント作成装置。
【請求項７】
上記カメラが複数配置され、上記集光レンズが上記複数のカメラが配置された各配置位置に映写光を分配して集光するものである請求項１〜４のいずれか一項に記載の写真プリント作成装置。
【請求項８】
上記集光レンズとして映写される背景映像の各画素に対応して設けられたマイクロレンズを含み、上記各マイクロレンズにより各画素の映写光を各カメラの配置位置に分配して集光する請求項７記載の写真プリント作成装置。
【請求項９】
画素に対してマイクロレンズが複数設けられている請求項８記載の写真プリント作成装置。
【請求項１０】
上記各マイクロレンズは、各カメラに向かって映写光を分配する分配領域に分割され、上記分配領域は各マイクロレンズと各カメラとの距離に相関した面積比に設定されている請求項８または９記載の写真プリント作成装置。
【請求項１１】
上記集光レンズとしてフレネルレンズを含む請求項１〜１０のいずれか一項に記載の写真プリント作成装置。
【請求項１２】
上記集光レンズとしてレンチキュラーレンズを含む請求項１〜１１のいずれか一項に記載の写真プリント作成装置。
【請求項１３】
上記集光レンズが、スクリーン側に配置されたフレネルレンズと、このフレネルレンズの映写面側に配置されたレンチキュラーレンズである請求項１１または１２記載の写真プリント作成装置。
【請求項１４】
上記フレネルレンズがリニアフレネルレンズであり、上記カメラが、上記リニアフレネルレンズによるスリット状の集光領域内において移動もしくは複数配置されている請求項１１〜１３のいずれか一項に記載の写真プリント作成装置。
【請求項１５】
上記スクリーンと集光レンズとの間の距離が、映写手段に用いられる投影レンズの焦点距離の２０分の１以下である請求項１〜１４のいずれか一項に記載の写真プリント作成装置。
【請求項１６】
上記照明手段が閃光を発生させる照明用ストロボであり、上記映写手段の光源として上記照明用ストロボと同調発光するシンクロストロボであり、上記映写手段にはシンクロストロボ以外の常時照明灯が設けられ、上記常時照明灯は光源長が短いものである請求項１〜１５のいずれか一項に記載の写真プリント作成装置。
【請求項１７】
上記撮影領域は撮影ブース内に存在し、上記撮影ブースの内側面は吸光面に形成されている請求項１〜１６のいずれか一項に記載の写真プリント作成装置。
【請求項１８】
上記制御手段に背景映像選択手段を設け、背景映像としてブルーバック等のクロマキー合成に適当な単一色背景を選択しうるように構成されている請求項１〜１７のいずれか一項に記載の写真プリント作成装置。
【請求項１９】
撮影領域内の被写体を撮影するカメラと、上記被写体をカメラ側から照明する照明手段と、上記カメラで撮影された撮影画像をプリントするプリンタと、上記被写体のバックとなる領域に配置されたスクリーンと、上記スクリーンに対しカメラ側と反対側面を映写面として背景映像を映写する映写手段と、上記カメラ，照明手段，映写手段，プリンタを制御する制御手段とを備え、上記スクリーンよりも映写面側に、少なくとも映写領域をカバーする状態で、映写手段からの映写光をカメラの存在領域に向かって集光する集光レンズが配置されていることを特徴とする写真プリント作成装置。
【発明の詳細な説明】
【０００１】
【発明の属する技術分野】
本発明は、撮影領域内の被写体を、そのバックにあるスクリーンに映写された背景映像とともに撮影する写真プリント作成装置に関するものである。
【０００２】
【従来の技術】
近年、ゲームセンター等において、写真を撮影してシールプリント等にする写真自販機が数多く設置されている。このような写真自販機としては、一般に、図１４に示すようなものが用いられている。このものは、内部および前面に各種の装置が設けられた撮影筐体１と、上記撮影筐体１の上下から被写体２の背後まで達するように突き出された支柱３とを備えている。
【０００３】
そして、上記両支柱３の先端部分に、撮影の際の背景となるカーテン５が吊設され、上記撮影筐体１，支柱３，カーテン５で囲まれた空間が、被写体２の撮影用ブースを形成している。上側の支柱３には、撮影用ブース内の被写体２を照射する２つのライト４が取り付けられている。
【０００４】
上記撮影筐体１の内部には、被写体２を撮影するカメラ６が設けられている。上記撮影筐体１のカメラ６の被写体２側に位置する面には、透明板１０が嵌め込まれている。また、上記撮影筐体１の内部には、上記カメラ６から画像データを受信して画像合成等の処理を行なうコンピュータ装置７が設けられている。また、上記撮影筐体１の被写体２側には、上記コンピュータ装置７から送信された合成画像等の画像信号を受信して画像を表示するディスプレイ８が設けられている。
【０００５】
さらに、上記撮影筐体１の内部には、コンピュータ装置７から送信された画像データを受信し、この画像を印刷媒体１３に印刷するプリンタ９が設けられている。このプリンタ９で印刷された印刷媒体１３は、撮影筐体１に形成された送出口１１から送出されるようになっている。
【０００６】
さらに、上記撮影筐体１の前面には操作パネルが設けられている。上記操作パネルは、タッチペン１２を備え、使用者２が上記タッチペン１２の先端をディスプレイ８の表面に接触させて文字や図形等を描いて入力しうるようになっており、手書き入力された文字・図形等の画像データやスタンプ画像等が、カメラ６で撮影された被写体２の撮影画像と合成されてディスプレイ８に表示され、印刷媒体１３に印刷されるようになっている。
【０００７】
【発明が解決しようとする課題】
ところで、最近は、写真自販機の利用者の増加とともに、そのニーズも多様化している。そこで、これらのニーズに応えるため、被写体の画像に合成されるフレームや背景として各種の趣向を凝らしたものも数多く提供されている。その中の１つとして、例えば、特開平１１−２６６４１９号に開示されているように、被写体のバックにあるスクリーンに種々な背景映像を映写して撮影するものが試みられている。
【０００８】
しかしながら、近年では、この種の写真自販機においても、ユーザの写真品質に対する要求が高くなって優れた画質の写真が求められており、多人数で奥行きのある被写体に対し、シャープな撮影画像を得るために撮影手段の絞りを絞って被写界深度を深くし、それに伴い大光量の照明手段を採用するケースが増えている。このため、大光量の照明手段で被写体を照明する結果、上記照明光がバックスクリーンで反射し、その反射光がカメラのレンズに侵入してハレーションを生じやすく、画質をかえって低下させるという問題があった。
【０００９】
また、上記スクリーンは、被写体のバックの撮影領域をカバーする比較的大画面のものを用いる必要がある。このような大画面のプロジェクタ用スクリーンは、通常、多人数で見ることが想定されることから視野角が広くなるよう設定されている。このため、大画面のスクリーンに映写した背景映像をカメラで撮影した場合、映写光は周囲に拡散し、中心部分に比べて周辺部分が暗くなる等、背景画面全体の明るさが均一になりにくく、結果的に写真品質が低下するという問題があった。
【００１０】
特に、反射光によるハレーションによる影響を低減させるべく、光拡散性を付与したスクリーンやスモークスクリーンを使用すると、画面全体が暗くなる傾向があるため、上述した背景画面の明るさが不均一になるという不都合が助長される結果となる。
【００１１】
本発明は、このような事情に鑑みなされたものであり、背景映像を映写するスクリーンを設け、このスクリーンに映写される映像を鮮明にして美麗な撮影画像を得ることができる写真プリント作成装置であり、第１の目的はスクリーンからの反射光の悪影響を低減することであり、第２の目的は背景映像の明るさを均一にすることであり、第３の目的はスクリーンからの反射光の悪影響を低減するとともに背景映像の明るさを均一にすることである。
【００１２】
【課題を解決するための手段】
上記の目的を達成するため、本発明の写真プリント作成装置は、撮影領域内の被写体を撮影するカメラと、上記被写体をカメラ側から照明する照明手段と、上記カメラで撮影された撮影画像をプリントするプリンタと、上記被写体のバックとなる領域に配置されたスクリーンと、上記スクリーンに対しカメラ側と反対側面を映写面として背景映像を映写する映写手段と、上記カメラ，照明手段，映写手段，プリンタを制御する制御手段とを備え、上記スクリーンは、照明手段の照明光が当該スクリーンで反射した反射光をカメラの存在領域以外の領域に誘導する反射光誘導シートを備えたものであることを第１の要旨とする。
【００１３】
すなわち、本発明の第１の写真プリント作成装置は、上記スクリーンは、照明手段の照明光が当該スクリーンで反射した反射光をカメラの存在領域以外の領域に誘導する反射光誘導シートを備えたものである。このため、被写体に対する照明光がスクリーンにあたって反射したとしても、反射光が撮影レンズにあまり侵入しなくなり、反射光によるハレーションを防止してスクリーンに映写された背景映像および被写体が鮮明に撮影され、美麗でハイグレードな撮影画像を得ることができる。したがって、スクリーンに背景映像を映写した撮影において照明手段に大光量のストロボ等を用い、撮影レンズの絞りを絞り、被写界深度を深くした撮影を行なうことが可能となり、極めてシャープで品質の高い写真プリントを作成することができるようになる。
【００１４】
また、本発明の写真プリント作成装置は、撮影領域内の被写体を撮影するカメラと、上記被写体をカメラ側から照明する照明手段と、上記カメラで撮影された撮影画像をプリントするプリンタと、上記被写体のバックとなる領域に配置されたスクリーンと、上記スクリーンに対しカメラ側と反対側面を映写面として背景映像を映写する映写手段と、上記カメラ，照明手段，映写手段，プリンタを制御する制御手段とを備え、上記スクリーンよりも映写面側に、少なくとも映写領域をカバーする状態で、映写手段からの映写光をカメラの存在領域に向かって集光する集光レンズが配置されていることを第２の要旨とする。
【００１５】
すなわち、本発明の第２の写真プリント作成装置は、上記スクリーンよりも映写面側に、少なくとも映写領域をカバーする状態で、映写手段からの映写光をカメラの存在領域に向かって集光する集光レンズが配置されている。このため、上記スクリーン全体に映写された背景映像の映写光が集光レンズによりカメラに向かって集光されるため、当該背景映像を撮影した際に、中心部分から周辺部分まで均一な光量で撮影され、極めて美しい背景映像を撮影することが可能となる。そして、被写体のバックの撮影領域をカバーする比較的大画面のスクリーンであっても、スクリーンに映写される映像を鮮明にして美麗でハイグレードな写真プリントを作成することができる。
【００１６】
本発明の写真プリント作成装置において、上記反射光誘導シートは、傾斜面を上記照明光の反射面とし棚面を吸光面とするプリズムが平行に配置されたプリズム面を有する平面プリズムシートであり、上記反射面による反射光がカメラの存在領域以外の領域に誘導されるように構成されている場合には、上記プリズム面の反射面に照射されて反射した反射光は、撮影レンズに侵入しない方向に反射され、上記吸光面に照射された光はほとんどが吸収され、わずかに反射した光は棚面と傾斜面のなす谷状の角に吸収され、撮影レンズに侵入しない。このように、反射光をカメラの存在領域以外の領域に誘導するとともに入射光を吸収し、反射光の撮影レンズへの侵入を略完全に防止することができるようになる。
【００１７】
本発明の写真プリント作成装置において、上記照明手段が、カメラの上下および／または左右を含む被写体から見てカメラの光軸を略中心とした周辺領域内に配置されて被写体を照明するものであり、上記平面プリズムシートは、上記傾斜面と吸光面を有するプリズムがカメラの光軸を略中心として対称状もしくは環状に配置されている場合には、被写体を照明する照明光の撮影レンズへの侵入を効果的に防止し、美麗な撮影画像を得ることができる。すなわち、被写体の顔等に影ができにくいよう、照明手段をカメラの左右や上下に配置した場合、照明光は被写体すなわちカメラの光軸を略中心とした両側から照射されることとなり、スクリーンにもカメラの光軸を略中心とした両側から照射される。したがって、上記傾斜面と吸光面を有するプリズムをカメラの光軸を略中心として対称状もしくは環状に配置したことにより、両側から照射された照明光が例えば外側に向かって反射され、撮影レンズへの侵入が防止される。しかも、顔等にハレーションが少ない美しい写真プリントを作成することができる。
【００１８】
本発明の写真プリント作成装置において、上記スクリーンよりも映写面側に、少なくとも映写領域をカバーする状態で、映写手段からの映写光をカメラの存在領域に向かって集光する集光レンズが配置された場合には、上記スクリーン全体に映写された背景映像の映写光が集光レンズによりカメラに向かって集光されるため、当該背景映像を撮影した際に、中心部分から周辺部分まで均一な光量で撮影され、極めて美しい背景映像を撮影することが可能となる。さらに、スクリーン全面の光量を均一に撮影できることから、スクリーンとして光拡散性が低く、映写光の透過率が高いものを使用することが可能になるため、より明るい背景映像を映写することが可能となる。そして、被写体のバックの撮影領域をカバーする比較的大画面のスクリーンであっても、スクリーンに映写される映像を鮮明にして美麗でハイグレードな写真プリントを作成することができる。
【００１９】
本発明の写真プリント作成装置において、上記カメラが移動可能に配置され、上記集光レンズが上記カメラの移動範囲をカバーした領域に映写光を集光するものである場合には、移動するカメラにより種々のカメラアングルを変更した撮影を行なうことができ、カメラを移動範囲内のどこに移動させて撮影しても、映写光はカメラの移動範囲をカバーする領域に集光されているので、スクリーンに映写される映像が鮮明に撮影されて美麗でハイグレードな写真プリントを作成することができる。
【００２０】
本発明の写真プリント作成装置において、上記カメラが複数配置され、上記集光レンズが上記複数のカメラが配置された範囲をカバーした領域に映写光を集光するものである場合には、複数のカメラにより種々のカメラアングルを変更した撮影を行なうことができ、どの位置のカメラで撮影しても、映写光はカメラの配置範囲をカバーする領域に集光されているので、スクリーンに映写される映像が鮮明に撮影されて美麗でハイグレードな写真プリントを作成することができる。
【００２１】
本発明の写真プリント作成装置において、上記カメラが複数配置され、上記集光レンズが上記複数のカメラが配置された各配置位置に映写光を分配して集光するものである場合には、複数のカメラにより種々のカメラアングルを変更した撮影を行なうことができ、どの位置のカメラで撮影しても、映写光は各カメラの配置に分配して集光されているので、スクリーンに映写される映像が鮮明に撮影されて美麗でハイグレードな写真プリントを作成することができる。また、映写光はカメラの光軸以外の領域すなわち撮影にとって不要な領域に映写光がほとんどいかないため、各カメラにおいてスクリーンに映写された背景映像をより明るく鮮明に撮影することができる。
【００２２】
本発明の写真プリント作成装置において、上記集光レンズとして映写される背景映像の各画素に対応して設けられたマイクロレンズを含み、上記各マイクロレンズにより各画素の映写光を各カメラの配置位置に分配して集光する場合には、背景映像の画素ごとに映写光を分配して集光するため、どのカメラで撮影してもスクリーンに映写される映像が鮮明に撮影されて美麗でハイグレードな写真プリントを作成することができる。
【００２３】
本発明の写真プリント作成装置において、画素に対してマイクロレンズが複数設けられている場合には、１画素の映写光が複数のマイクロレンズで分担して分配され集光されるので、マイクロレンズと映写光の位置合わせがある程度ラフでもよいという効果がある。
【００２４】
本発明の写真プリント作成装置において、上記各マイクロレンズは、各カメラに向かって映写光を分配する分配領域に分割され、上記分配領域は各マイクロレンズと各カメラの距離に相関した面積比に設定されている場合には、各マイクロレンズとカメラとの距離が長くて各カメラレンズの見かけ開口面積が小さく、分配した映写光の損失が大きくなるところは分配領域をそれだけ大きくして多くの映写光を分配し、各マイクロレンズとカメラとの距離が短くて各カメラレンズに対して正対しているために見かけ開口面積が大きく、分配した映写光の損失が少ないところは分配領域をそれだけ小さくして少ない映写光を分配することにより、どの位置のカメラに対しても各画素の映写光が均等に到達し、スクリーン全体の明るさの均一性がより向上する。
【００２５】
本発明の写真プリント作成装置において、上記集光レンズとしてフレネルレンズを含む場合には、平面のフレネルレンズによって映写光を集光するため、スクリーンとフレネルレンズとの距離をスクリーンの全面にわたって略均一に設定でき、スクリーンに映写される背景映像の歪みやゆがみを防止できる。
【００２６】
本発明の写真プリント作成装置において、上記集光レンズとしてレンチキュラーレンズを含む場合には、平面のレンチキュラーレンズによって映写光を集光するため、スクリーンとレンチキュラーレンズとの距離をスクリーンの全面にわたって略均一に設定でき、スクリーンに映写される背景映像の歪みやゆがみを防止できる。また、カメラがレンチキュラーレンズの設計許容範囲内で異なる場所にあっても、スクリーン全面の光量を均一に集光できることから、スクリーンとして光拡散性が低く、映写光の透過率が高いものを使用することが可能になるため、より明るい背景映像を映写することが可能となる。
【００２７】
本発明の写真プリント作成装置において、上記集光レンズが、スクリーン側に配置されたフレネルレンズと、このフレネルレンズの映写面側に配置されたレンチキュラーレンズである場合には、平面のフレネルレンズおよびレンチキュラーレンズによって映写光を集光するため、スクリーンとフレネルレンズおよびレンチキュラーレンズとの距離をスクリーンの全面にわたって略均一に設定でき、スクリーンに映写される背景映像の歪みやゆがみを防止できる。また、カメラがレンチキュラーレンズの設計許容範囲内で異なる場所にあっても、スクリーン全面の光量を均一に集光できる。しかも、フレネルレンズによる集光効果により、スクリーン全面の光量を均一に集光でき、スクリーンとして光拡散性が低く、映写光の透過率が高いものを使用することが可能になるため、より明るい背景映像を映写することが可能となる。
【００２８】
本発明の写真プリント作成装置において、上記フレネルレンズがリニアフレネルレンズであり、上記カメラが、上記リニアフレネルレンズによるスリット状の集光領域内において移動もしくは複数配置されている場合には、カメラが上下や左右等に１直線上に配置されていたりスライド移動する際に、どの位置で撮影してもカメラはスリット状の集光領域内に存在することとなるため、スクリーンに映写される映像が鮮明に撮影されて美麗でハイグレードな写真プリントを作成することができる。また、撮影にとって害になる領域に向かう映写光が少なくなるため、スクリーンに映写された背景映像をより明るく鮮明に撮影することができる。
【００２９】
本発明の写真プリント作成装置において、上記スクリーンと集光レンズとの間の距離が、映写手段に用いられる投影レンズの焦点距離の２０分の１以下である場合には、集光レンズの集光作用によるスクリーンに映写される映像のひずみやゆがみを防止し、鮮明で美麗な背景映像を映写できる。
【００３０】
本発明の写真プリント作成装置において、上記照明手段が閃光を発生させる照明用ストロボであり、上記映写手段の光源として上記照明用ストロボと同調発光するシンクロストロボであり、上記映写手段にはシンクロストロボ以外の常時照明灯が設けられ、上記常時照明灯は光源長が短いものである場合には、大光量のシンクロストロボにより明るい背景映像を映写し、大光量の照明用ストロボで被写界深度を深くしたシャープな撮影画像を得ることができる。また、撮影前のポーズの確認や背景映像の確認には常時照明等を用いることができ、常時照明灯の光源長が短いため、点光源を前提として設計された光学系に適合し、確認のために映写される背景映像のひずみやゆがみが防止される。
【００３１】
本発明の写真プリント作成装置において、上記撮影領域は撮影ブース内に存在し、上記撮影ブースの内側面は吸光面に形成されている場合には、撮影領域の被写体に向けて照射した照明光が撮影ブース内で不必要に反射して不測の方向からスクリーンに差し込んでハレーションを生じたり、不測の反射光による撮影画像の画質低下を防止できる。さらに、被写体を照射した強い光が反射して内側面に望まないハレーションを生じることを防止できる。
【００３２】
本発明の写真プリント作成装置において、上記制御手段に背景映像選択手段を設け、背景映像としてブルーバック等のクロマキー合成に適当な単一色背景を選択しうるように構成されている場合には、カメラによる撮影の際にはブルーバック等で撮影し、その後クロマキー合成で背景画像を自由に変更するようにすることができる。そして、スクリーンにひびが入って破損したり多少落書き等され汚れたりしたときなど、背景映像が正常に映写されない事態が生じたとしても、背景映像選択手段によりブルーバック等を選択して撮影し、クロマキー合成等により背景画像を合成することができる。このとき、スクリーンのひびや多少の汚れ等の欠陥によるブルーバック等の不均一は、クロマキー合成時にブルーバック等をソフトウェア的に除去可能であるため、スクリーンの修理が完了するまでのあいだ、装置の稼動を停止せずにすむ。
【００３３】
また、本発明の写真プリント作成装置にのみ用いる印刷媒体、すなわち、撮影領域内の被写体を撮影するカメラと、上記被写体をカメラ側から照明する照明手段と、上記カメラで撮影された撮影画像をプリントするプリンタと、上記被写体のバックとなる領域に配置されたスクリーンと、上記スクリーンに対しカメラ側と反対側面を映写面として背景映像を映写する映写手段と、上記カメラ，照明手段，映写手段，プリンタを制御する制御手段とを備え、上記スクリーンは、照明手段の照明光が当該スクリーンで反射した反射光をカメラの存在領域以外の領域に誘導する反射光誘導シートを備えた写真プリント作成装置にのみ用いる印刷媒体も本願発明の一部を構成する。
【００３４】
また、撮影領域内の被写体を撮影するカメラと、上記被写体をカメラ側から照明する照明手段と、上記カメラで撮影された撮影画像をプリントするプリンタと、上記被写体のバックとなる領域に配置されたスクリーンと、上記スクリーンに対しカメラ側と反対側面を映写面として背景映像を映写する映写手段と、上記カメラ，照明手段，映写手段，プリンタを制御する制御手段とを備え、上記スクリーンよりも映写面側に、少なくとも映写領域をカバーする状態で、映写手段からの映写光をカメラの存在領域に向かって集光する集光レンズが配置されている写真プリント作成装置にのみ用いる印刷媒体も本願発明の一部を構成する。
【００３５】
【発明の実施の形態】
つぎに、本発明の実施の形態を詳しく説明する。
【００３６】
図１は、本発明の写真プリント作成装置の一実施の形態を示す図である。この写真プリント作成装置は、カメラ６等を備えて被写体２の撮影に用いる撮影筐体１と、上記撮影の際に被写体２のバックとなる領域に背景映像を映写する映写手段である映写ユニット１４を備えた映写筐体１５とを備えている。
【００３７】
上記撮影筐体１と映写筐体１５との間には、天井部１６，壁部１７および床部１８が設けられ、上記撮影筐体１，映写筐体１５，天井部１６，壁部１７および床部１８で囲われた領域が撮影領域を含む撮影ブース１９に形成されている。図示は省略したが、手前側の壁部には撮影ブース１９への出入口が設けられ。この出入口にはカーテンが吊設されて撮影ブース１９が外部と仕切られている。
【００３８】
上記撮影筐体１は、撮影領域内の使用者を含む被写体２を撮影して画像データを生成するカメラ６と、撮影時に被写体２をカメラ６側から照明する照明手段である照明用ストロボ２０と、上記撮影画像を表示するディスプレイ８と、上記撮影画像を印刷媒体１３に印刷して写真プリント出力するプリンタ９と、上記カメラ６，ストロボ２０，ディスプレイ８およびプリンタ９を制御する制御手段の一部として機能する第１コンピュータ装置２１とを備えている。ここで、説明の便宜上、撮影筐体１の使用者（被写体）２と対面する側を撮影筐体１の前面とする。
【００３９】
上記撮影筐体１のカメラ６の前側に対応する部分には、ガラス・プラスチック等の透明板１０が嵌めこまれている。また、上記撮影筐体１の前面には、硬貨投入口（図示せず）が設けられ、撮影筐体１内部の硬貨投入口に隣接した位置に、投入した硬貨を検出して第１コンピュータ装置２１に検出信号を送信する硬貨検出部２２（図３参照）が設けられている。また、撮影筐体１前面の適所には、第１コンピュータ装置２１から音声信号を受信して音声出力するスピーカ３９と、被写体２を常時照明してポーズ確認等を容易にするモニタ用照明３３が設けられている。
【００４０】
上記撮影筐体１の前面には、上記第１コンピュータ装置２１から送信された画像データを受信して画像を表示するディスプレイ８が設けられている。また、上記ディスプレイ８は、被写体２に向かって斜め上向きに配設され、ディスプレイ８に表示された画像が使用者２によって目視しやすくなるようになっている。
【００４１】
また、上記ディスプレイ８の近傍には、操作パネルが設けられている。この操作パネルには、タッチペン１２が備えられている。このタッチペン１２は、その先端をディスプレイ（例えば、ＬＣＤタブレット，タッチパネル等が用いられる）８の表面に接触させて操作信号の入力が可能となっている。
【００４２】
また、上記このタッチペン１２の先端をディスプレイ８の表面に接触させて文字や図形等を描くことにより手書き画像やスタンプ画像等のペン入力画像を入力できるようになっている。そして、上記手書き入力された文字・図形等の画像データがカメラ６による撮影画像と合成されて合成画像がディスプレイ８に表示される。
【００４３】
すなわち、上記ディスプレイ８には、上記カメラ６で撮像された動画である撮像映像，シャッタ操作によって得られた静止画である撮影画像，上記撮影画像に対してタッチペン１２によって入力されたペン入力画像と撮影画像との合成画像をはじめ、プレイのために必要な操作ボタンや案内情報等が表示される。
【００４４】
また、上記撮影筐体１の内部空間には、第１コンピュータ装置２１から送信された合成画像の信号を受信し、この合成画像を印刷媒体１３に印刷して写真プリントを生成するプリンタ９が設けられている。上記プリンタ９で画像が印刷された印刷媒体１３は、撮影筐体１前面に形成された送出口１１から送出されるようになっている。
【００４５】
上記映写筐体１５は、上記被写体２のバックとなる領域に配置されたスクリーン４０と、上記スクリーン４０に対しカメラ６側と反対側面を映写面として背景映像を映写する映写ユニット１４とを備えている。
【００４６】
上記映写ユニット１４は、上記スクリーン４０に映写する背景映像を表示する映写ＬＣＤ（透過型液晶表示板）３０と、この映写ＬＣＤ３０に表示された背景映像をスクリーン４０に投射するための光源である反射鏡（図示せず）を備えたシンクロストロボ３１と、上記映写ＬＣＤ３０とシンクロストロボ３１を制御する制御手段の一部として機能する第２コンピュータ装置２９とを備えている。
【００４７】
上記第２コンピュータ装置２９は、撮影筐体１の第１コンピュータ装置２１と接続され、両コンピュータ装置２１，２９が連携してプレイ全体を制御するようになっている。シンクロストロボ３１は、カメラ６による静止画の撮影の際の照明用ストロボ２０と同調して発光し、撮影の瞬間にスクリーン４０に背景映像を大光量で映写するようになっている。
【００４８】
上記映写ユニット１４は、シンクロストロボ３１の上側に映写ＬＣＤ３０が配置され、映写ＬＣＤ３０を通過して上方に向かう映写光をスクリーン４０に向かって反射させる反射ミラー３６とを備えている。また、上記映写ユニット１４は、シンクロストロボ３１と映写ＬＣＤ３０との間に配置された集光レンズ３８と、映写ＬＣＤ３０の下面に重なるように配置されたフレネルレンズ３７と、映写ＬＣＤ３０を通過した映写光を上記反射ミラー３６を介してスクリーン４０に投影する投影レンズ３５とを備えている。
【００４９】
また、上記シンクロストロボ３１の近傍には、撮影時以外の時間に映写ＬＣＤ３０に表示される背景映像をスクリーンに映写する光源として常時灯３４が設けられている。この常時灯３４による映写によって、背景映像を選択したり、撮影前のポーズの確認を行なったりすることができるようになっている。
【００５０】
上記常時灯３４は、例えば、反射鏡（図示せず）を備えたハロゲンランプやキセノンランプのような光源長の短いものが用いられる。このように、撮影前のポーズの確認や背景映像の確認に用いる常時灯３４として光源長が短いものを用いることにより、点光源を前提とした光学系に適合し、確認のために映写される背景映像のひずみやゆがみが防止される。
【００５１】
上記スクリーン４０は、少なくとも照明用ストロボ２０の照明光が当該スクリーン４０で反射した反射光をカメラ６の存在領域以外の領域に誘導する反射光誘導機能を有する反射光誘導シートを備えたものが用いられる。
【００５２】
上記スクリーン４０は、図２（ａ）に示すように、映写面側に位置する基材フィルム４７と、反射光誘導シート４３とが積層され、上記反射光誘導シート４３のカメラ側に透明樹脂層４６を介して透明フィルム４８が積層された構造となっている。
【００５３】
上記反射光誘導シート４３は、そのカメラ６側の面に、略水平となった棚面４５と、上記棚面４５のカメラ６側先端縁から映写面側に傾斜する傾斜面４４とにより、横方向（紙面に垂直な方向であり、スクリーンの左右方向である）に延びる鋸三角状のプリズム部４２が形成され、このプリズム部４２が多数平行に並んだプリズム面４９が形成された平行プリズムシートである。
【００５４】
上記傾斜面４４は、上記照明用ストロボ２０の照明光が特定の角度で当ると反射する反射面となっており、上記棚面４５は、上記照明光の吸光面となっている。上記反射面４４は例えば熱ロール成形で傾斜面４４を均一な平面とすることにより形成することができ、上記吸光面４５は、黒色顔料の練りこみ等によって形成することができる。なお、上記反射面４４を金属蒸着によって形成することもできる。
【００５５】
そして、上記プリズム面４９により、反射面４４による照明光の反射光がカメラ６の存在領域以外の領域に誘導されるように構成されている。すなわち、このようにすることにより、上記プリズム面４９の反射面４４に照射されて反射した反射光は、撮影レンズに侵入しない方向（この例では下向き）に反射される（図示の矢印Ａ）。また、上記吸光面４５に照射された光はほとんどが吸収される（図示の矢印Ｂ）。さらに、上記吸光面４５でわずかに反射した光は棚面４５と傾斜面４４のなす谷状の角に吸収される（図示の矢印Ｃ）。このように、反射光をカメラの存在領域以外の領域に誘導するとともに入射光を吸収し、スクリーン４０のカメラ６側の面に照射された光の反射光は撮影レンズに侵入しない。
【００５６】
図２（ｂ）は、上記のようなスクリーン４０の第２例である。図２（ａ）に示すスクリーン４０では、プリズム面４９の反射面（傾斜面）４４の角度は全て一定に設定されていたが、この第２例では、上記反射面（傾斜面）４４の傾斜角度が、スクリーン４０の上部から下部にいくにしたがって徐々に鉛直に近づくように設定されている。このような傾斜角度の変化は、照明用ストロボ２０とスクリーン４０およびカメラ６の位置関係によって、反射光が撮影レンズに入らないように適宜設定することができる。
【００５７】
また、上記スクリーン４０よりも映写面側に、少なくとも映写領域をカバーする状態で、映写ユニット１４からの映写光をカメラ６の存在領域に向かって集光する集光レンズ４１が配置されている。この例では、上記集光レンズ４１として、フレネルレンズが用いられている。
【００５８】
上記集光レンズ４１を設けたことにより、スクリーン４０全体に映写された背景映像の映写光がカメラ６に向かって集光されるため、当該背景映像を撮影した際に、中心部分から周辺部分まで均一な光量で撮影され、極めて美しい背景映像を撮影することが可能となる。さらに、スクリーン全面の光量を均一に撮影できることから、スクリーン４０として光拡散性が低く、映写光の透過率が高いものを使用することが可能になるため、より明るい背景映像を映写することが可能となる。また、平面のフレネルレンズによって映写光を集光するため、スクリーン４０とフレネルレンズとの距離をスクリーン４０の全面にわたって略均一に設定でき、スクリーン４０に映写される背景映像の歪みやゆがみを防止できる。
【００５９】
ここで、上記スクリーン４０と集光レンズ４１との間の距離は、視差が生じるのを防ぐため、映写ユニット１４に用いられる投影レンズ３５の焦点距離の２０分の１以下に設定するのが好ましく、より好ましくは５０分の１以下であり、さらに好ましいのは１００分の１以下であり、塵埃等の侵入を防止する意味でも、密着させて配置するのが最も好ましい。スクリーン４０と集光レンズ４１との間の距離を上記設定とすることにより、集光レンズ４１の集光作用によるスクリーン４０に映写される映像のひずみやゆがみを防止し、鮮明で美麗な背景映像を映写できる。
【００６０】
また、上記撮影ブース１９の内側面、すなわち天井部１６，床部１８，壁部１７，出入口のカーテン，撮影筐体１の前面等は、つや消し黒色の塗装を施したり、黒色の布張りにするなど、吸光面に形成するのが好ましい。このようにすることにより、撮影領域の被写体２に向けて照射した照明光が撮影ブース１９内で不必要に反射して不測の方向からスクリーン４０に差し込み、不測の反射光による撮影画像の画質低下を防止できる。
【００６１】
つぎに、上記第１コンピュータ装置２１および第２コンピュータ装置２９のシステム構成について詳しく説明する。
【００６２】
図３に示すように、上記第１コンピュータ装置２１は、画像の合成を行う画像合成手段２６と、カメラ６による撮影や画像の合成等のプレイの制御を行うプレイ制御部２３とを備えている。上記プレイ制御部２３は、硬貨検出部２２からの検出信号を受信することにより、撮影プレイやお絵描きプレイならびに画像合成等の制御を開始するようになっている。
【００６３】
また、上記第１コンピュータ装置２１には、所定のスタンプ画像等を格納する画像メモリ（図示せず）が設けられている。一方、上記ディスプレイ８には、タッチペン１２によって手書き画像等の入力を受け付ける入力部８Ａと、合成画像等の画像を表示する表示部８Ｂとが設けられている。
【００６４】
お絵描きプレイによってタッチペン１２で入力される手書き画像やスタンプ画像等のペン入力画像は、ペン画像記憶部２５に記憶され、画像合成手段２６によりカメラ６によって撮影され固定画像記憶部２４に記憶された静止画である撮影画像と合成されるようになっている。上記画像合成手段２６で合成された合成画像（撮影画像とペン入力画像との合成画像）は、ディスプレイ８の表示部８Ｂに表示されるようになっている。
【００６５】
さらに、上記第１コンピュータ装置２１には、スピーカ３９から音声を出力させる音声出力回路（図示せず）が設けられている。また、上記第１コンピュータ装置２１は、上記プリンタ９による印刷を制御する印刷制御部２７を備えている。
【００６６】
一方、第２コンピュータ装置２９は、映写ＬＣＤ３０に背景映像を出力したり、シンクロストロボ３１の発光制御を行なう映写制御部２８を備えている。また、上記映写ＬＣＤ３０に映写する背景映像を記憶する背景映像記憶部３２を備えている。
【００６７】
上記第１コンピュータ装置２１と第２コンピュータ装置２９は、通信ケーブルによって接続され、第２コンピュータ装置２９に格納された背景映像の選択を第１コンピュータ装置２１による制御で行なったり、照明用ストロボ２０とシンクロストロボ３１のシンクロ発光制御を行なったりするようになっている。
【００６８】
つぎに、上記写真プリント作成装置の動作について説明する。
【００６９】
まず、使用者２が硬貨を投入すると、背景映像の選択画面がディスプレイ８に表示され、使用者２はタッチペン１２の操作により、所望の背景映像の選択を行なう。背景映像が選択されると、選択された背景映像が第２コンピュータ装置２９の背景映像記憶部３２から読み出されて映写ＬＣＤ３０に表示され、常時灯３４によってスクリーン４０に映写される。
【００７０】
それとともに、カメラ６による被写体２の撮像が開始され動画である撮像映像がディスプレイ８に表示される。このとき、モニタ用照明３３によって被写体２は照明されるが、上記スクリーン４０によりモニタ用照明３３の反射光がカメラ６の撮影レンズに侵入せず、集光レンズ４１により映写光がカメラ６の撮影レンズに集光されることから、反射光の影響を受けず、スクリーン４０全面の映写光が均一となったライブ映像がディスプレイ８に表示され、背景映像を含めたポーズの確認が行いやすい。
【００７１】
ついで、使用者２がディスプレイ８の表示画像を見ながら被写体２の位置調整を完了した後に、ディスプレイ８に表示された調整完了ボタンを押すと、使用者２にポーズをとるよう指示され、それから所定時間後にシャッタ操作が行なわれて撮影画像が静止画像として固定され取得される。この撮影の際には、被写体２正面の照明用ストロボ２０と、背景映像を映写するシンクロストロボ３１とが同調発光する。このように、大光量のシンクロストロボ３１により明るい背景映像を映写するとともに、大光量の照明用ストロボ２０で照明することにより、撮影レンズの絞りを絞って被写界深度を深くしたシャープな撮影画像を得ることができる。そして、撮影が一旦終了すると、ディスプレイ８には、そのときの静止画像が表示される。
【００７２】
つぎに、使用者２に上記静止画像のプレビューの確認を促し、使用者２が撮りなおしを希望する場合は、ディスプレイ８に表示された指示にしたがってキャンセル操作を行い、新たに撮影が開始される。一方、使用者２が撮りなおしを希望しない場合は、使用者２にタッチペン１２によるお絵描きプレイを促すよう指示する。
【００７３】
このとき、使用者２は、タッチペン１２の先端をディスプレイ８表面のペン入力部８Ａに接触させて所望の文字や図形等の画像を入力する。例えば、静止画像の上にタッチペン１２の先端で好みの文字等を入力することにより、手書きの文字等が上記静止画像に合成され、ディスプレイ８に表示される。また、星マークやハートマーク等のスタンプ画像を画像メモリから読出し、静止画像の任意の位置に配置することもできる。そして、ペン入力が終了すると、プリンタ９による印刷が開始され、合成画像が印刷された印刷媒体１３が送出される。
【００７４】
このように、上記写真プリント作成装置によれば、被写体２に対する照明光がスクリーン４０に当って反射したとしても、反射光が撮影レンズにあまり侵入しなくなり、反射光によるハレーションを防止してスクリーン４０に映写された背景映像および被写体２が鮮明に撮影され、美麗でハイグレードな撮影画像を得ることができる。したがって、スクリーン４０に背景映像を映写した撮影において照明用ストロボ２０に大光量のストロボ等を用い、撮影レンズの絞りを絞り、被写界深度を深くした撮影を行なうことが可能となり、極めてシャープで品質の高い写真プリントを作成することができるようになる。
【００７５】
また、上記写真プリント作成装置によれば、上記スクリーン４０全体に映写された背景映像の映写光が集光レンズ４１によりカメラ６に向かって集光されるため、当該背景映像を撮影した際に、中心部分から周辺部分まで均一な光量で撮影され、極めて美しい背景映像を撮影することが可能となる。さらに、スクリーン４０全面の光量を均一に撮影できることから、スクリーン４０として光拡散性が低く、映写光の透過率が高いものを使用することが可能になるため、より明るい背景映像を映写することが可能となる。そして、被写体２のバックの撮影領域をカバーする比較的大画面のスクリーン４０であっても、スクリーン４０に映写される映像を鮮明にして美麗でハイグレードな写真プリントを作成することができる。
【００７６】
図４および図５は、本発明の写真プリント作成装置の第２の実施の形態を示す図である。
【００７７】
図４に示す例は、上記カメラ６が移動可能に配置され、上記集光レンズ４１が上記カメラ６の移動範囲をカバーした領域Ｄに映写光を集光するものである。このときの集光領域Ｄとカメラ６の移動範囲との関係の一例を図５（ａ）に示す。この場合、カメラ６は上下にスライド移動するように設けられ、集光領域Ｄは、上記カメラの移動範囲をカバーする円形に設定されている。
【００７８】
この場合は、上記集光レンズ４１としては、第１の実施の形態で用いたのと同様のフレネルレンズを用いることができる。この例において、カメラ６の移動範囲は、例えば左右スライドのように上記集光領域Ｄ内において適宜変更することができる。
【００７９】
このようにすることにより、移動するカメラ６により種々のカメラアングルを変更した撮影を行なうことができ、カメラ６を移動範囲内のどこに移動させて撮影しても、映写光はカメラ６の移動範囲をカバーする集光領域Ｄに集光されているので、スクリーン４０に映写される映像が鮮明に撮影されて美麗でハイグレードな写真プリントを作成することができる。それ以外は、上記実施の形態と同様であり同様の作用効果を奏する。
【００８０】
図５（ｂ）に示す例は、上記カメラ６を上下スライド移動に設け、集光レンズとしてリニアフレネルレンズを使用し、上記リニアフレネルレンズによるスリット状の集光領域Ｄ内においてカメラ６を移動させるようにした例を示す。このようにすることにより、カメラ６が上下に１直線上に移動する際に、どの位置で撮影してもカメラ６はスリット状の集光領域Ｄ内に存在することとなるため、スクリーン４０に映写される映像が鮮明に撮影されて美麗でハイグレードな写真プリントを作成することができる。また、撮影にとって不要な領域にいく映写光が少なくなるため、スクリーン４０に映写された背景映像をより明るく鮮明に撮影することができる。それ以外は、上記各実施の形態と同様であり同様の作用効果を奏する。
【００８１】
上記図５（ａ）（ｂ）に示した例では、カメラ６を集光領域Ｄ内で移動可能に設置したが、カメラ６を集光領域Ｄ内に複数配置することもできる。この場合も同様の作用効果を奏する。
【００８２】
図５（ｃ）に示す例は、上記集光レンズ４１としてレンチキュラーレンズを用い、上記レンチキュラーレンズによる集光領域Ｄ内に複数のカメラを配置した例を示す。このように、平面のレンチキュラーレンズによって多数の小さな単位レンチキュラーレンズにより複数のカメラ角度範囲内の映写光を集光したものであるため、スクリーン４０とレンチキュラーレンズとの距離をスクリーン４０の全面にわたって略均一に設定でき、スクリーン４０に映写される背景映像の歪みやゆがみを防止できる。
【００８３】
また、カメラ６がレンチキュラーレンズの設計許容範囲内で異なる場所にあっても、スクリーン４０全面の光量を均一に集光できることから、スクリーン４０として光拡散性が低く、映写光の透過率が高いものを使用することが可能になるため、より明るい背景映像を映写することが可能となる。それ以外は、上記各実施の形態と同様であり同様の作用効果を奏する。
【００８４】
図６は、本発明の写真プリント作成装置の第３の実施の形態を示す図である。
【００８５】
この例では、上記集光レンズとして、スクリーン４０側に配置されたフレネルレンズ４１Ａと、このフレネルレンズ４１Ａの映写面側に配置されたレンチキュラーレンズ４１Ｂとを用いている。このようにすることにより、平面のフレネルレンズ４１Ａおよびレンチキュラーレンズ４１Ｂによって映写光を集光するため、スクリーン４０とフレネルレンズ４１Ａおよびレンチキュラーレンズ４１Ｂとの距離をスクリーン４０の全面にわたって略均一に設定でき、スクリーン４０に映写される背景映像の歪みやゆがみを防止できる。
【００８６】
また、カメラ６がレンチキュラーレンズ４１Ｂの設計許容範囲内で異なる場所にあっても、スクリーン４０全面の光量を均一に集光できる。しかも、フレネルレンズ４１Ａによる集光効果により、スクリーン４０全面の光量を均一に集光でき、スクリーン４０として光拡散性が低く、映写光の透過率が高いものを使用することが可能になるため、より明るい背景映像を映写することが可能となる。それ以外は、上記各実施の形態と同様であり同様の作用効果を奏する。
【００８７】
図７および図８は、本発明の写真プリント作成装置の第４の実施の形態を示す図である。
【００８８】
この例では、上記照明用ストロボ２０が、カメラ６の上下および／または左右を含む被写体２から見てカメラ６の光軸Ｃを略中心とした周辺領域Ｌ内に配置されて被写体２を照明するものである。一例として図７（ａ）では、カメラ６の左右斜め上に２つの照明用ストロボ２０を配置した例を示す。そして、スクリーン４０の平面プリズムシートは、図７（ｂ）に示すように、上記傾斜面４４と吸光面４５を有するプリズム部４２がカメラ６の光軸Ｃを略中心として左右対称状に配置されている。
【００８９】
このようにすることにより、被写体２を照明する照明光の撮影レンズへの侵入を効果的に防止し、美麗な撮影画像を得ることができる。すなわち、被写体２の顔等に影ができにくいよう、照明用ストロボ２０をカメラの左右に配置した場合、照明光は被写体２すなわちカメラ６の光軸Ｃを略中心とした両側から照射されることとなり、スクリーン４０にもカメラ６の光軸Ｃを略中心とした両側から照射される。したがって、上記傾斜面４４と吸光面４５を有するプリズム部４２をカメラ６の光軸Ｃを略中心として対称状に配置したことにより、両側から照射された照明光が外側に向かって反射され、撮影レンズへの侵入が防止される。しかも、顔等にハレーションが少ない美しい写真プリントを作成することができる。
【００９０】
上述した例では、照明用ストロボ２０を被写体２の左右に配置した例を示したが、被写体２の上下に配置しても同様である。また、図８に示すように、上記プリズム部４２を、カメラ６の光軸Ｃを略中心とする環状に配置してもよい。このようにすることにより、照明用ストロボ２０を、カメラ６を中心とする周辺領域Ｌ内のどの位置に配置しても、反射光を撮影レンズに侵入させないよう誘導することが可能になる。それ以外は、上記各実施の形態と同様であり同様の作用効果を奏する。
【００９１】
図９〜図１３は、本発明の写真プリント作成装置の第５の実施の形態を示す図である。
【００９２】
この例では、カメラ６Ａ，６Ｂ，６Ｃが一直線上に複数（この例では３台）配置されている。そして、上記集光レンズ４１は、上記複数のカメラ６Ａ，６Ｂ，６Ｃが配置された各配置位置に映写光を分配して集光するようになっている。
【００９３】
すなわち、上記集光レンズ４１は、図１０に示すように、映写される背景映像の画素ごとに設けられたマイクロレンズ５０の集合体であり、上記各マイクロレンズ５０により１画素の映写光を各カメラ６Ａ，６Ｂ，６Ｃの配置位置に分配して集光するようになっている。
【００９４】
この場合において、１画素に対してマイクロレンズ５０を複数設けるようにすることも可能である。このようにすることにより、１画素の映写光が複数のマイクロレンズ５０で分担して分配され集光されるので、マイクロレンズ５０と映写光の位置合わせがある程度ラフでもよいという効果がある。
【００９５】
上記マイクロレンズ５０は、図１１に示すように、各カメラ６Ａ，６Ｂ，６Ｃに向かって映写光を分配する分配領域５２Ａ，５２Ｂ，５２Ｃに分割されている。図１１に示したマイクロレンズ５０は、図１０の上カメラ６Ａと略同じ高さの位置から中カメラ６Ｂ，下カメラ６Ｃに映写光を分配するものを示している。
【００９６】
図１１に示すマイクロレンズ５０では、各分配領域５２Ａ，５２Ｂ，５２Ｃにそれぞれ集光させるためのレンズ部５４と、光を図９の各カメラ６Ａ，６Ｂ，６Ｃの方向に向かって屈折させるためのプリズム部５５とを有している。上記プリズム部５５により、分配領域５２Ａの映写光は上カメラ６Ａに分配され、分配領域５２Ｂの映写光は中カメラ６Ｂに分配され、分配領域５２Ｃの映写光は下カメラ６Ｃに分配される。
【００９７】
上記マイクロレンズ５０では、分配領域５２Ａ，５２Ｂ，５２Ｃの分配方向はカメラ６Ａ，６Ｂ，６Ｃの配列方向と一致させている。このようにすることにより、マイクロレンズ５０のレンズおよびプリズムとして機能しない垂直面５１による光のけられが少なくなり、光の損失および乱反射を少なくし、画像を鮮明にすることができるからである。この光のけられは、光が斜めに入射するスクリーン４０の周辺部に配置されたマイクロレンズ５０において発生しやすいが、画像の劣化しやすい周辺領域でこの現象を少しでも軽減できることの意味は大きい。
【００９８】
このようにすることにより、複数のカメラ６により種々のカメラアングルを変更した撮影を行なうことができ、どの位置のカメラ６で撮影しても、映写光は各カメラ６の配置に均等に分配して集光されているので、スクリーン４０に映写される映像が鮮明に撮影されて美麗でハイグレードな写真プリントを作成することができる。また、映写光はカメラ６の光軸以外の領域すなわち撮影にとって不要な領域に映写光がほとんどいかないため、各カメラ６においてスクリーン４０に映写された背景映像をより明るく鮮明に撮影することができる。しかも、背景映像の画素ごとに映写光を分配して集光するため、どのカメラ６で撮影してもスクリーン４０に映写される映像が鮮明に撮影されて美麗でハイグレードな写真プリントを作成することができる。
【００９９】
この例において、図１２および図１３に示すように、マイクロレンズ５０の各分配領域５２Ａ，５２Ｂ，５２Ｃは、各マイクロレンズ５０と各カメラ６Ａ，６Ｂ，６Ｃの距離およびカメラレンズの見かけ開口面積に相関した面積比に設定することが望ましい。
【０１００】
図１２は、スクリーン４０の上下方向において分配領域５２Ａ，５２Ｂ，５２Ｃの面積比を変化させた例を示す。（ａ）はスクリーンの中央上部、（ｂ）はスクリーンの中央中部、（ｃ）はスクリーンの中央下部のマイクロレンズ５０である（マイクロレンズ５０の配置は図１０参照）。
【０１０１】
この例では、図１２（ａ）に示すスクリーンの中央上部に位置するマイクロレンズ５０では、上カメラ６Ａとの距離が最も近く、ついで中カメラ６Ｂ，下カメラ６Ｃの順にカメラとの距離が遠くなっている。その距離およびカメラレンズの見かけの開口面積に相関させて、上カメラ６Ａに映写光を分配する分配領域５２Ａの面積を最も小さくし、順次、中カメラ６Ｂに映写光を分配する分配領域５２Ｂの面積、下カメラ６Ｃに映写光を分配する分配領域５２Ｃの面積が大きくなるよう設定している。
【０１０２】
同様に、図１２（ｂ）に示すスクリーンの中央中部に位置するマイクロレンズ５０では、中カメラ６Ｂとの距離が最も近く、上カメラ６Ａおよび下カメラ６Ｃとの距離が遠くカメラレンズの見かけ開口面積が小さくなっている。その距離およびカメラレンズの見かけの開口面積に相関させて、中カメラ６Ｂに映写光を分配する分配領域５２Ｂの面積を最も小さくし、上カメラ６Ａに映写光を分配する分配領域５２Ａの面積と、下カメラ６Ｃに映写光を分配する分配領域５２Ｃの面積とが等しくかつ上記分配領域５２Ｂよりも大きくなるよう設定している。
【０１０３】
また、図１２（ｃ）に示すスクリーンの中央下部に位置するマイクロレンズ５０では、下カメラ６Ｃとの距離が最も近く、ついで中カメラ６Ｂ，上カメラ６Ａの順にカメラとの距離が遠くカメラレンズの見かけ開口面積が小さくなっている。その距離およびカメラレンズの見かけの開口面積に相関させて、下カメラ６Ｃに映写光を分配する分配領域５２Ｃの面積を最も小さくし、順次、中カメラ６Ｂに映写光を分配する分配領域５２Ｂの面積、上カメラ６Ａに映写光を分配する分配領域５２Ａの面積が大きくなるよう設定している。
【０１０４】
このようにすることにより、各マイクロレンズ５０とカメラ６Ａ，６Ｂ，６Ｃとの距離が長くてカメラレンズが見かけ上斜めになるため、分配した映写光の損失が大きくなるところは分配領域５２Ａ，５２Ｂ，５２Ｃをそれだけ大きくして多くの映写光を分配し、各マイクロレンズ５０とカメラ６Ａ，６Ｂ，６Ｃとの距離が短くてカメラレンズが見かけ上正対し、分配した映写光の損失が少ないところは分配領域５２Ａ，５２Ｂ，５２Ｃをそれだけ小さくして少ない映写光を分配することにより、どの位置のカメラ６Ａ，６Ｂ，６Ｃに対しても各画素の映写光が均等に到達し、スクリーン４０全体の明るさの均一性をより向上させることができる。
【０１０５】
図１３は、スクリーン４０の左右方向においてマイクロレンズ５０すなわち分配領域５２Ａ，５２Ｂ，５２Ｃの面積比を変化させた例を示す。（ａ）はスクリーンの中央左部、（ｂ）はスクリーンの中央中部、（ｃ）はスクリーンの中央右部のマイクロレンズ５０である（マイクロレンズ５０の配置は図１０参照）。
【０１０６】
この例では、１３（ｂ）に示すスクリーン４０の中央中部では、各カメラ６Ａ，６Ｂ，６Ｃとの距離が最も近く、スクリーン４０の中央左部と中央右部では、各カメラ６Ａ，６Ｂ，６Ｃとの距離が遠くカメラレンズの見かけ開口面積が小さくなっている。そこで、上記距離とカメラレンズの見かけ開口面積に相関させて、スクリーン４０の中央中部のマイクロレンズ５０の面積を最も小さくし、スクリーン４０の中央左部と中央右部のマイクロレンズ５０の面積を等しくかつ中央中部のマイクロレンズ５０よりも大きくなるよう設定している。この例の場合、面積比は、マイクロレンズ５０の周縁部に設けた塗料などで構成した光を通さず吸収するブラックストライプ５３の太さを変更することにより変化させている。
【０１０７】
このようにすることにより、各マイクロレンズ５０とカメラ６Ａ，６Ｂ，６Ｃとの距離が長くしかもカメラレンズが見かけ上斜めになって映写光に正対する有効面積が減少し、映写光の損失が大きくなるところはマイクロレンズ５０すなわち分配領域５２Ａ，５２Ｂ，５２Ｃをそれだけ大きくして多くの映写光を分配し、各マイクロレンズ５０とカメラ６Ａ，６Ｂ，６Ｃとの距離が短くしかもカメラレンズが見かけ上正対し有効面積が減少せず、分配した映写光の損失が少ないところはマイクロレンズ５０すなわち分配領域５２Ａ，５２Ｂ，５２Ｃをそれだけ小さくして少ない映写光を分配することにより、どの位置のカメラ６Ａ，６Ｂ，６Ｃに対しても各画素の映写光が均等に到達し、スクリーン４０全体の明るさの均一性をより向上させることができる。
【０１０８】
上述した図１２および図１３による説明では、スクリーンの上下方向と左右方向の面積変化をそれぞれ抽出して説明したが、実際は、これらを組み合わせることもできる。また、図１２の分配領域５２Ａ，５２Ｂ，５２Ｃの面積比だけを変化させて左右方向の映写光の均一性は、ソフトウェアにより補正するようにしてもよい。この場合でも、上下方向の映写光の均一性が光学的に補正されているので、ソフトウェア的な補正処理が行ないやすくなる。また、ソフトウェアによる補正量が少なくなればなるほど処理速度は向上し、画質の劣化が少なくなるため、費用対効果で目的に応じて補正する方法を選択し組み合わせればよい。
【０１０９】
上記各実施の形態において、制御手段の一部として機能する第１コンピュータ装置２１もしくは第２コンピュータ装置２９に、背景映像選択手段を設け、背景映像としてブルーバック等のクロマキー合成に適当な単一色背景を選択しうるように構成し、カメラ６による撮影の際にはブルーバック等で撮影し、その後クロマキー合成で背景画像を自由に変更するようにすることもできる。
【０１１０】
このようにすることにより、スクリーン４０にひびが入って破損したり多少落書き等され汚れたりしたときや、チューインガムをスクリーン４０表面に付着されてすぐには清掃できないようなときなど、背景映像が正常に映写されない事態が生じたとしても、使用者もしくは店員等が背景映像選択手段によりブルーバックを選択して撮影し、クロマキー合成等により背景画像を合成することができる。このとき、スクリーン４０のひびや多少の汚れ等の欠陥によるブルーバックの不均一は、クロマキー合成時にブルーバック等をソフトウェア的に除去可能であるため、スクリーン４０の修理が完了するまでのあいだ、装置の稼動を停止せずにすむ。
【０１１１】
具体的には、図３の背景映像記憶部３２にブルーバック画像等を記憶させておき、撮影時には、入力部８Ａからタッチペン１２で背景画像としてブルーバックの選択入力を行うと、背景映像記憶部３２からブルーバック画像が読み出されて撮影画像はブルーバックの撮影画像となる。画像合成時には、被写体２がディスプレイ８の表示部８Ｂに表示された合成画像をみて入力部８Ａからタッチペン１２で所望の背景画像の選択入力をすると、選択された背景画像が背景映像記憶部３２から読み出されて画像合成手段２６で合成される。そして、この合成画像がプリンタ９により印刷出力される。
【０１１２】
このようにすることにより、背景画像を電子的に合成できるため、カーテン等を換えてそれをバックにして撮影するよりも信頼性を向上することができ、背景変更の作業性がよくなり、作業スピードも向上する。
【０１１３】
【発明の効果】
以上のように、本発明の第１の写真プリント作成装置によれば、被写体に対する照明光がスクリーンにあたって反射したとしても、反射光が撮影レンズにあまり侵入しなくなり、反射光によるハレーションを防止してスクリーンに映写された背景映像および被写体が鮮明に撮影され、美麗でハイグレードな撮影画像を得ることができる。したがって、スクリーンに背景映像を映写した撮影において照明手段に大光量のストロボ等を用い、撮影レンズの絞りを絞り、被写界深度を深くした撮影を行なうことが可能となり、極めてシャープで品質の高い写真プリントを作成することができるようになる。
【０１１４】
また、本発明の第２の写真プリント作成装置によれば、上記スクリーン全体に映写された背景映像の映写光が集光レンズによりカメラに向かって集光されるため、当該背景映像を撮影した際に、中心部分から周辺部分まで均一な光量で撮影され、極めて美しい背景映像を撮影することが可能となる。そして、被写体のバックの撮影領域をカバーする比較的大画面のスクリーンであっても、スクリーンに映写される映像を鮮明にして美麗でハイグレードな写真プリントを作成することができる。
【図面の簡単な説明】
【図１】本発明の写真プリント作成装置の一実施の形態を示す断面図である。
【図２】本発明に用いるスクリーンを示す断面図である。
【図３】上記写真プリント作成装置のシステム構成図である。
【図４】本発明の写真プリント作成装置の第２の実施の形態を示す断面図である。
【図５】上記写真プリント作成装置における集光領域とカメラ配置の関係を示す図である。
【図６】本発明の写真プリント作成装置の第３の実施の形態を示す断面図である。
【図７】本発明の写真プリント作成装置の第４の実施の形態を示す図である。
【図８】上記写真プリント作成装置のスクリーンを示す図である。
【図９】本発明の写真プリント作成装置の第５の実施の形態を示す図である。
【図１０】上記写真プリント作成装置に用いるスクリーンを示す図である。
【図１１】上記スクリーンのマイクロレンズを示す図である。
【図１２】上記スクリーンのマイクロレンズを示す図である。
【図１３】上記スクリーンのマイクロレンズを示す図である。
【図１４】従来技術を示す断面図である。
【符号の説明】
１　　撮影筐体
２　　被写体
３　　支柱
４　　ライト
５　　カーテン
６　　カメラ
６Ａ　上カメラ
６Ｂ　中カメラ
６Ｃ　下カメラ
７　　コンピュータ装置
８　　ディスプレイ
８Ａ　入力部
８Ｂ　表示部
９　　プリンタ
１０　　透明板
１１　　送出口
１２　　タッチペン
１３　　印刷媒体
１４　　映写ユニット
１５　　映写筐体
１６　　天井部
１７　　壁部
１８　　床部
１９　　撮影ブース
２０　　照明用ストロボ
２１　　第１コンピュータ装置
２２　　硬貨検出部
２３　　プレイ制御部
２４　　固定画像記憶部
２５　　ペン画像記憶部
２６　　画像合成手段
２７　　印刷制御部
２８　　映写制御部
２９　　第２コンピュータ装置
３０　　映写ＬＣＤ
３１　　シンクロストロボ
３２　　背景映像記憶部
３３　　モニタ用照明
３４　　常時灯
３５　　投影レンズ
３６　　反射ミラー
３７　　フレネルレンズ
３８　　集光レンズ
３９　　スピーカ
４０　　スクリーン
４１　　集光レンズ
４１Ａ　フレネルレンズ
４１Ｂ　レンチキュラーレンズ
４２　　プリズム部
４３　　反射光誘導シート
４４　　反射面（傾斜面）
４５　　吸光面（棚面）
４６　　透明樹脂層
４７　　基材フィルム
４８　　透明フィルム
４９　　プリズム面
５０　　マイクロレンズ
５１　　垂直面
５２Ａ　分配領域（上カメラ）
５２Ｂ　分配領域（中カメラ）
５２Ｃ　分配領域（下カメラ）
５３　　ブラックストライプ
５４　　レンズ部
５５　　プリズム部
【図１】
2004077958.tif 000003
【図２】
2004077958.tif 000004
【図３】
2004077958.tif 000005
【図４】
2004077958.tif 000006
【図５】
2004077958.tif 000007
【図６】
2004077958.tif 000008
【図７】
2004077958.tif 000009
【図８】
2004077958.tif 000010
【図９】
2004077958.tif 000011
【図１０】
2004077958.tif 000012
【図１１】
2004077958.tif 000013
【図１２】
2004077958.tif 000014
【図１３】
2004077958.tif 000015
【図１４】
2004077958.tif 000016